(57)【要約】      （修正有）【課題】装飾効果及び観賞効果をより好適に発揮させることのできるマスキングテープ陳列具を提供する。【解決手段】基材にテープ片を巻回してなるマスキングテープを陳列するマスキングテープ陳列具１０であって、本体１１と、本体１１に設けられ、マスキングテープを該本体１１の外部から観賞可能に保持する保持体３０とを備える。【選択図】図１Ａ
0003223032.tif 000002
【実用新案登録請求の範囲】
【請求項１】
基材にテープ片を巻回してなるマスキングテープを陳列するマスキングテープ陳列具であって、
本体と、
前記本体に設けられ、前記マスキングテープを該本体の外部から観賞可能に保持する保持体と、
を備えることを特徴とするマスキングテープ陳列具。
【請求項２】
請求項１に記載のマスキングテープ陳列具であって、
前記本体は、傾斜部を備えるラック状に形成され、
前記保持体は、前記本体の前記傾斜部において上下方向に所定間隔をあけて複数配置された切欠きと、それぞれの前記切欠きに支持されるとともに、前記マスキングテープを複数並列して収容する透明の円筒状容器と、を含む、
マスキングテープ陳列具。
【請求項３】
請求項１に記載のマスキングテープ陳列具であって、
前記本体は、一の面に開放部を有する箱体として構成され、
前記保持体は、前記箱体の内部空間を一又は複数の前記マスキングテープを並列して収容するテープ保持領域に分割する仕切り部材を含み、
さらに、前記開放部を開閉するように前記箱体に取り付けられる開閉蓋を備える、
マスキングテープ陳列具。
【請求項４】
請求項１に記載のマスキングテープ陳列具であって、
前記本体は、略直方体状で一の長尺面に開放部を有する箱体として構成され、
前記箱体の長尺方向の長さは前記テープ片の幅の少なくとも２倍を超える長さに形成され、
前記保持体は、前記箱体の内部空間に長尺方向に沿って延在するとともに、前記基材の中空部を挿通する棒体を含み、
さらに、前記開放部を開閉するように前記箱体に取り付けられる開閉蓋を備える、
マスキングテープ陳列具。
【請求項５】
請求項１に記載のマスキングテープ陳列具であって、
前記本体は、一の面に開放部を有する箱体として構成され、
前記保持体は、前記箱体の内部空間により構成され、
さらに、複数の前記箱体同士又は所定の掛止対象物に掛止可能なように前記箱体に設けられる掛止手段を備える、
マスキングテープ陳列具。
【考案の詳細な説明】
【技術分野】
【０００１】
本考案は、マスキングテープ陳列具、特に装飾用の紙製、ビニール製、又はフィルム製などのテープ片を基材に巻回してなるマスキングテープを陳列して保持するためのマスキングテープ陳列具に関する。
【背景技術】
【０００２】
従来、表面に様々な装飾模様が施されたテープ片を基材に巻回してなる粘着テープが広く流通している。このような粘着テープはマスキングテープと呼ばれ、適宜、テープ片が切り取られ、装飾の目的で、ノート及びカード類などの文房具、又は家具類などの対象物に貼付される。特許文献１には、この種の装飾用マスキングテープが提案されている。
【先行技術文献】
【特許文献】
【０００３】
【特許文献１】実用新案登録第３２１２９８４号
【考案の概要】
【考案が解決しようとする課題】
【０００４】
近年では、テープ片を対象物に貼付する目的だけでなく、室内の装飾や観賞の目的でマスキングテープをそのまま飾る用途が普及している。このような用途でマスキングテープを用いる者は、異なるマスキングテープの模様等を組み合わせて装飾効果や観賞効果にバリエーションを持たせるべく、複数種類のマスキングテープを収集する傾向がある。
【０００５】
一方で、マスキングテープは、基本的にテープ片を切り取って対象物に貼付するという用途が想定されるものであり、マスキングテープ自体を装飾や観賞の目的で設置するという用途は想定されていない。特に、複数種類の異なる模様のマスキングテープを組み合わせる場合、これらを雑多に配置するだけでは所望の装飾効果や観賞効果を得られにくいため、ユーザー自身がマスキングテープの配置態様を工夫する必要がある。
【０００６】
本考案は、このような問題点に着目してなされたものであり、その目的は、マスキングテープを配置することによる装飾効果及び観賞効果をより好適に発揮させることのできるマスキングテープ陳列具を提供することにある。
【課題を解決するための手段】
【０００７】
本考案のある態様によれば、基材にテープ片を巻回してなるマスキングテープを陳列するマスキングテープ陳列具であって、本体と、本体に設けられ、マスキングテープを該本体の外部から観賞可能に保持する保持体と、を有するマスキングテープ陳列具が提供される。
【考案の効果】
【０００８】
この態様によれば、保持体を介してマスキングテープを観賞可能な状態で保持することができるため、装飾効果及び観賞効果をより好適に発揮させることが可能となる。
【図面の簡単な説明】
【０００９】
【図１Ａ】本考案の第１実施形態にかかるマスキングテープ陳列具の斜視図である。
【図１Ｂ】第１実施形態にかかるマスキングテープ陳列具の本体の側面図である。
【図１Ｃ】第１実施形態にかかる保持体にマスキングテープが収容された状態を説明する図である。
【図２Ａ】第２実施形態にかかるマスキングテープ陳列具の斜視図である。
【図２Ｂ】マスキングテープ陳列具にマスキングテープが収容された状態を説明する図である。
【図３Ａ】第３実施形態にかかるマスキングテープ陳列具の斜視図である。
【図３Ｂ】マスキングテープ陳列具にマスキングテープが収容された状態を説明する図である。
【図４Ａ】第４実施形態にかかるマスキングテープ陳列具の斜視図である。
【図４Ｂ】マスキングテープ陳列具にマスキングテープが収容された状態を説明する図である。
【図４Ｃ】４個のマスキングテープ陳列具を掛止させた状態を説明する図である。
【図４Ｄ】マスキングテープ陳列具を連続的に掛止させた状態を説明する図である。
【考案を実施するための形態】
【００１０】
以下、添付図面を参照しながら本考案の実施形態について説明する。
【００１１】
（第１実施形態）
図１Ａは、本考案の第１実施形態にかかるマスキングテープ陳列具の斜視図である。図１Ｂは、第１実施形態にかかるマスキングテープ陳列具の本体の側面図である。図１Ｃは、第１実施形態にかかる保持体にマスキングテープが収容された状態を説明する図である。
【００１２】
図１Ａ〜図１Ｃに示すように、第１実施形態にかかるマスキングテープ陳列具１０は、ラック状の陳列具である。図１Ａに示すように、マスキングテープ陳列具１０は、一対の支持部１２からなる本体１１と、複数（本実施形態では３つ）の保持体３０と、を備える。保持体３０は、円環状の中空基材にテープ片を巻き回してなるマスキングテープ１００（図１Ｃ参照）を収容するための容器であって、本体１１上に載置される。
【００１３】
本体１１は、単数ないし複数の接続板１３によって一対の支持部１２が相互に略平行に連結されて構成される。接続板１３は、一対の支持部１２の間をつなぐように延在し、それぞれの支持部１２に形成された係合孔１２ａに係合する。
【００１４】
図１Ｂに示すように、支持部１２の外周は、側面視で略三角形状となっている。支持部１２の外周は、机やテーブル等に設置するための平面部１４と、平面部１４に対して傾斜を備える傾斜部１５と、を含む。このように、本体１１は支持部１２の傾斜部１５を含むラック状部材として構成されている。傾斜部１５には、保持体３０を支持するための切欠き１６が、当該傾斜部１５の上下方向に対して所定の間隔で複数設けられる。切欠き１６は、保持体３０の外周に対応して窪む円弧状の溝として形成されている。
【００１５】
平面部１４は、図１Ｂに示すように直線状である必要はなく、机やテーブル等に対して本体１１を支持できる態様であればどのような形状であってもよい。具体的には、アーチ状でも波状でもよく、複雑な切欠きや凹凸が設けられてもよい。
【００１６】
図１Ａに示すように、保持体３０は、外部から内部を観賞可能な透明な円筒状容器３１と、円筒状容器３１を閉塞する一対のキャップ３２と、を備える。一対のキャップ３２は、円筒状容器３１の両側に固定され、円筒状容器３１の両端開口を閉塞する。本体１１に保持体３０を載置した状態では、保持体３０が本体１１に対して横方向に移動しないようにキャップ３２が規制する。
【００１７】
図１Ｃに示すように、円筒状容器３１の内径は、略円環状のマスキングテープ１００を立てた状態で収容可能な大きさに設定されている。円筒状容器３１は、容器内に横方向に並設された複数のマスキングテープ１００を収容できるように構成されている。このため、陳列された複数のマスキングテープ１００の各々の色彩、模様、柄、質感によってマスキングテープ陳列具１０が設置された空間に鑑賞効果及び装飾効果をもたらす。
【００１８】
また、保持体３０は、傾斜部１５の切欠き１６によって本体１１の上下方向（高さ方向）に対して複数保持される。これにより、収容される多数のマスキングテープ１００の組み合わせに基づいてマスキングテープ陳列具１０が設置された空間により優れた鑑賞効果及び装飾効果をもたらす。
【００１９】
また、複数の保持体３０が本体１１の上下方向に対して保持されることで、収容する多数のマスキングテープ１００の全体を一覧して視認することが可能となり、使用者が使いたいマスキングテープ１００を直ぐに見つけることができる。
【００２０】
さらに、円筒状容器３１は、キャップ３２によって閉塞されることで、収容するマスキングテープ１００の乾燥を抑え、マスキングテープ１００の接着性の低下を抑えることができる。また、例えば、円筒状容器３１の表面に紫外線を減じるコーティングを施すことで、マスキングテープ１００の色焼け等の劣化を抑えることができる。そして、このようにマスキングテープ１００を保護しつつ透明な円筒状容器３１によって外部からの鑑賞が可能となる。
【００２１】
〔第１実施形態の効果〕
第１実施形態にかかるマスキングテープ陳列具１０は、マスキングテープ１００を本体１１の外部から観賞可能に保持する保持体３０を有する。より具体的には、本体１１は傾斜部１５を備えるラック状に形成されており、保持体３０は、本体１１の傾斜部１５において上下方向に所定間隔をあけて複数配置された切欠き１６と、それぞれの切欠き１６に支持されるとともにマスキングテープ１００を複数並列して収容する透明の円筒状容器３１と、を含む。このような構成により、保持体３０に保持されたマスキングテープ１００の各々の色彩、模様、柄、質感を本体１１の外部から鑑賞させることができる。これにより、装飾効果及び観賞効果をより好適に発揮させることが可能となる。
【００２２】
また、保持体３０（円筒状容器３１）がマスキングテープ１００を横方向に複数収容するとともに、複数の保持体３０が傾斜部１５の高さ方向に保持されるため、左右方向及び高さ方向にわたって多数のマスキングテープ１００が陳列される。これにより、マスキングテープ１００が奥行きのある立体的な広がりをもって陳列され、高い鑑賞効果、装飾効果がもたらされる。具体的には、マスキングテープ陳列具１０は、立体的に陳列させる多数のマスキングテープ１００の組み合わせに基づいてマスキングテープ陳列具１０が設置された空間に装飾効果をもたらす。
【００２３】
また、第１実施形態にかかるマスキングテープ陳列具１０においては、キャップ３２によって円筒状容器３１の両端を閉塞するため、マスキングテープ１００を円筒状容器３１内に密閉保持することが可能となる。これにより、マスキングテープ１００の乾燥を抑えて接着性の低下を抑制できる。
【００２４】
（第２実施形態）
図２Ａ及び図２Ｂを参照して、本考案の第２実施形態について説明する。なお、第１実施形態と同様の要素には同一の符号を付し、その説明を省略する。
【００２５】
図２Ａは、本考案の第２実施形態にかかるマスキングテープ陳列具の斜視図である。図２Ｂは、第２実施形態にかかる保持体にマスキングテープが収容された状態を説明する図である。
【００２６】
図２Ａに示すように、第２実施形態にかかるマスキングテープ陳列具１０は、宝石箱状の陳列具である。マスキングテープ陳列具１０は、本体１１と、本体１１を開閉する開閉蓋１７と、ストッパ１８と、保持体３０と、を備える。ストッパ１８は、開閉蓋１７の開度を規制するものであり、例えば、金属製のステーであってもよいが、環境性の観点からは紙製又は布製が好適となる。本体１１は、平面視で略正方形であり、一の面に開放部を有する箱体である。つまり、本体１１は、上面側が開口した筺体である。
【００２７】
保持体３０は、本体１１内に保持される。保持体３０は、本体１１と同様に一の面に開放部を有する箱体であって本体１１内に収容される内箱３０ａと、内箱３０ａの内部空間を仕切るように内箱３０ａ内に配置される仕切り部材３３とを有している。保持体３０（内箱３０ａ）の内部空間は、仕切り部材３３によって、例えば、９マスの収容部（テープ保持領域）３４に分割される。図２Ｂに示すように、１マスの収容部３４には、例えば、３個の略円環状のマスキングテープ１００を立てた状態で並列に収容することができる。なお、本実施形態では、保持体３０は、内箱３０ａと仕切り部材３３を備える構成としたが、仕切り部材３３のみからなる構成としてもよい。この場合には、保持体３０としての仕切り部材３３が本体１１内に配置され、本体１１の内部空間を複数の収容部３４に仕切ることとなる。
【００２８】
また、収容部３４には、マスキングテープ１００を横に寝かせて収容してもよい。特に、一つの内箱３０ａに形成された全てマスのうちのいくつかにマスキングテープ１００を立てて収容し、残りのマスにマスキングテープ１００を横に寝かせて収容するなどにより、全てのマスにマスキングテープ１００を立てて収容した場合と異なる美観を発揮させることができる。すなわち、一つの内箱３０ａに形成されたマス毎においてマスキングテープ１００の置き方を適宜変えることで、鑑賞効果によりバリエーションを持たせることができる。
【００２９】
さらに、仕切り部材３３の配置状態を変更して各マスの大きさを変更してもよい。例えば、横に寝かせて収容するマスキングテープ１００の大きさに合わせて仕切り部材３３の配置態様を変更することで、仕切り部材３３がマスキングテープ１００を保持する。これにより、仕切り部材３３は、立てた状態のマスキングテープ１００の保持、寝かせた状態のマスキングテープ１００の保持のそれぞれが可能となる。すなわち、仕切り部材３３の配置対応を任意に変更することで、マスキングテープ１００の所望の配置（縦置き、横置き、又は斜め置きなど）に応じた好適なテープ保持領域を形成することができる。
【００３０】
開閉蓋１７の天板１７ａは、例えば、透過性のある部材を採用し、開閉蓋１７を閉じた状態であっても、天板１７ａを介してマスキングテープ１００を視認させることができるようにしてもよい。このような構成とすれば、開閉蓋１７を閉じた状態でもマスキングテープ１００の鑑賞効果を発揮する。また、天板１７ａの内側には、例えば、鏡を設けてもよい。これにより、開閉蓋１７を開いた状態の時に、マスキングテープ１００を鏡に写し出すことができ、更なる鑑賞効果を期待できる。
【００３１】
〔第２実施形態の効果〕
第２実施形態にかかるマスキングテープ陳列具１０は、本体１１と、本体１１に設けられ、マスキングテープ１００を該本体の外部から観賞可能に保持する保持体３０と、を備える。より具体的には、本体１１は、一の面に開放部を有する箱体として構成され、保持体３０は、箱体としての本体１１の内部空間を一又は複数のマスキングテープを並列して収容する収容部３４（テープ保持領域３４）に分割する仕切り部材３３を含んでいる。さらに、マスキングテープ陳列具１０は開放部を開閉するように本体１１（箱体）に取り付けられる開閉蓋１７を備えている。このように、保持体３０の仕切り部材３３は本体１１の内部を仕切る構成であるため、例えば開閉蓋１７を開いた状態において、収容部３４に保持されたマスキングテープ１００の各々の色彩、模様、柄、質感を本体１１の外部から鑑賞させることができる。これにより、装飾効果及び観賞効果をより好適に発揮させることが可能となる。
【００３２】
なお、マスキングテープ陳列具１０の開閉蓋１７の天板１７ａを透明部材により構成した場合には、天板１７ａを介してもマスキングテープ１００を視認することが可能となり、開閉蓋１７を閉じた状態でも鑑賞効果を発揮し得る。
【００３３】
また、第２実施形態にかかるマスキングテープ陳列具１０は、所定数のマスキングテープ１００を収容する収容部３４が縦方向及び横方向に複数設けられるため、陳列するマスキングテープ１００の組み合わせに基づいた鑑賞効果、装飾効果をもたらす。
【００３４】
また、第２実施形態にかかるマスキングテープ陳列具１０は、開閉蓋１７を閉じることでマスキングテープ１００にほこりが積もることを防止できる。
【００３５】
（第３実施形態）
図３Ａ及び図３Ｂを参照して、本考案の第３実施形態について説明する。なお、上記各実施形態と同様の要素には同一の符号を付し、その説明を省略する。
【００３６】
図３Ａは、本考案の第３実施形態にかかるマスキングテープ陳列具の斜視図である。図３Ｂは、第３実施形態にかかる保持体にマスキングテープが収容された状態を説明する図である。
【００３７】
図３Ａに示すように、第３実施形態にかかるマスキングテープ陳列具１０は、ラップケース状の陳列具である。マスキングテープ陳列具１０は、本体１１と、本体１１を開閉する開閉蓋１７と、保持体３０と、を備える。本体１１は、平面視で略直方体状であり、長尺面に開放部を有する箱体である。本体１１の長尺方向の長さは、マスキングテープ１００のテープ片の幅の少なくとも２倍を超える長さである。すなわち、本体１１は、マスキングテープ１００を立てた状態で長尺方向に複数並列配置することのできる長さを有する。
【００３８】
図３Ｂに示すように、本実施形態では、本体１１の長尺方向の長さは、マスキングテープ１００が１０個程度収容できる長さとされている。図３Ｂは、開閉蓋１７を開いた状態のマスキングテープ陳列具１０を正面から見た図であり、本体１１の前板１１ａの後方に位置する保持体３０及びマスキングテープ１００を便宜的に透過させて表している。なお、前板１１ａや開閉蓋１７は透過性の部材であってもよい。
【００３９】
保持体３０は、本体１１内に保持される。保持体３０は、一対の基台３５と、一対の基台３５に支持される棒体３６と、を備える。棒体３６は、本体１１の長尺方向に沿って延在する円柱状部材であって、マスキングテープ１００の基材の中空部を挿通することによりマスキングテープ１００を保持するように構成されている。一対の基台３５は、本体１１の側面内側に収まる大きさの板状の部材であり、本体１１の内部空間における両端位置にそれぞれ配置される。各基台３５の中央部には、棒体３６の端部を篏合して支持するための嵌合孔が形成されている。
【００４０】
基台３５及び棒体３６を組み付けて構成された保持体３０は、本体１１の開放部を通じて、本体１１内への据え置き、及び本体１１内から外側へと取り外しができるようになっている。また、保持体３０においては、棒体３６を基台３５より取り外すことで、棒体３６に対してマスキングテープ１００を出し入れすることが可能となっている。
【００４１】
開閉蓋１７の前板１７ｂの裏面開放端１７ｃには、マスキングテープ１００のテープ片をカットするためのカッター（図示省略）が取り付けられる。カッターは、例えば、鋸状の刃である。カッターの素材としては、ＰＥＴ（ポリエチレンテレフタレート）樹脂、紙、金属を採用することができる。本体１１及びカッターにＰＥＴ樹脂や紙を採用する場合は、マスキングテープ陳列具１０を一体として廃棄することが可能であり、廃棄時の環境負荷を低減することが可能となる。カッターは、開閉蓋１７の前板１７ｂの裏面開放端１７ｃに替えて本体１１の前板１１ａの上端部分に取り付けられてもよい。カッターが開閉蓋１７の前板１７ｂに取り付けられる場合は、前板１７ｂの補強材としても機能し、本体１１の前板１１ａに取り付けられる場合は、前板１１ａの補強材としても機能する。
【００４２】
〔第３実施形態の効果〕
第３実施形態にかかるマスキングテープ陳列具１０は、本体１１と、本体１１に設けられ、マスキングテープ１００を該本体の外部から観賞可能に保持する保持体３０と、を備える。より具体的には、本体１１は、略直方体状で一の長尺面に開放部を有する箱体として構成され、箱体の長尺方向の長さはテープ片の幅の少なくとも２倍を超える長さに形成される。保持体３０は、箱体としての本体１１の内部空間に長尺方向に沿って延在するとともに、マスキングテープ１００の基材の中空部を挿通する棒体３６を含んでいる。さらに、マスキングテープ陳列具１０は開放部を開閉するように本体１１（箱体）に取り付けられる開閉蓋１７を備えている。このように、保持体３０を構成する棒体３６はマスキングテープ１００の基材の中空部を挿通することでマスキングテープ１００を本体１１内に保持するものであるため、例えば開閉蓋１７を開いた状態において、棒体３６に保持されたマスキングテープ１００の各々の色彩、模様、柄、質感を本体１１の外部から鑑賞させることができる。これにより、装飾効果及び観賞効果をより好適に発揮させることが可能となる。
【００４３】
また、第３実施形態にかかるマスキングテープ陳列具１０は、開閉蓋１７の前板１７ｂの裏面開放端１７ｃに、マスキングテープ１００のテープ片をカットするためのカッターを備える。このような構成により、陳列するマスキングテープ１００に基づく鑑賞効果を実現しつつも、陳列してある状態のマスキングテープ１００のテープ片を即座に切り取って任意の対象物に貼付でき、高い利便性がもたらされる。一方で、ニーズに応じてテープ片を即座に切り取ることが重要視されない場合には、カッターを省略して構成の簡素化及びそれによる製造コストの低減を図ってもよい。
【００４４】
また、第３実施形態にかかるマスキングテープ陳列具１０は、開閉蓋１７によって、マスキングテープ１００にほこりが積もることを防止するほか、日光等の入射を抑えることでマスキングテープ１００の劣化を抑制することができる。
【００４５】
（第４実施形態）
図４Ａ〜図４Ｄを参照して、本考案の第４実施形態について説明する。なお、上記各実施形態又は変形例と同様の要素には同一の符号を付し、その説明を省略する。
【００４６】
図４Ａは、本考案の第４実施形態にかかるマスキングテープ陳列具の斜視図である。図４Ｂは、第４実施形態にかかる保持体にマスキングテープが収容された状態を説明する図である。図４Ｃは、第４実施形態にかかるマスキングテープ陳列具を４個掛止させた状態を説明する図である。図４Ｄは、第４実施形態にかかるマスキングテープ陳列具を連続的に掛止させた状態を説明する図である。
【００４７】
図４Ａに示すように、第４実施形態にかかるマスキングテープ陳列具１０は、壁掛け型の陳列具である。マスキングテープ陳列具１０は、本体１１と、保持体３０と、を備える。保持体３０は、本体１１の内部空間により構成される。
【００４８】
図４Ａに表すように、本体１１は、前板１１ｂ、右側板１１ｃ、背板１１ｄ、左側板１１ｅ及び底板１９を備え、一の面に開放部を有する箱体として構成される。前板１１ｂ、右側板１１ｃ、背板１１ｄ、左側板１１ｅ及び底板１９はいずれも矩形であり、前板１１ｂ及び右側板１１ｃは例えば略長方形状である。また、背板１１ｄ及び左側板１１ｅは例えば台形状であり、底板１９は例えば略正方形状である。
【００４９】
背板１１ｄ及び左側板１１ｅは、それぞれ切抜き１１ｆが形成されており、切抜き１１ｆには磁石等の掛止手段２０が嵌め込まれている。これにより、マスキングテープ陳列具１０は、平置き以外にも、左側板１１ｅ又は背板１１ｄを金属製の壁、金属製の家具の側面、事務用機器の側面、冷蔵庫の側面等に掛止することができる。掛止手段２０には、前述した磁石のほかに、吸盤又は面ファスナー等を採用し得る。なお、本体１１の背板１１ｄ及び左側板１１ｅだけでなく、前板１１ｂ、右側板１１ｃ、及び底板１９のそれぞれに掛止手段２０を設けてもよい。
【００５０】
図４Ｂに示すように、本実施形態の保持体３０は、本体１１の内部空間自体であり、立てた状態の複数のマスキングテープ１００並列に収容可能な空間として構成されている。なお、保持体３０は、横に倒した状態のマスキングテープ１００を複数収容可能な空間として構成してもよい。
【００５１】
図４Ｃを参照して、マスキングテープ陳列具１０同士（掛止手段２０同士）を掛止した態様について説明する。
【００５２】
図４Ｃに示すように、は、当該マスキングテープ陳列具１０の掛止手段２０と他のマスキングテープ陳列具１０の掛止手段２０とを磁力により互いに密着させることで、マスキングテープ陳列具１０同士を連結することが可能となっている。図４Ｃは、４つのマスキングテープ陳列具１０を連結した状態を示している。このように連結した４つのマスキングテープ陳列具１０の集合体の中央部は各本体１１の背板１１ｄ、左側板１１ｅが接触する部分であり、集合体の中央部は集合体の外周部分よりも上側に突出しており、当該中央部は指等で把持されやすい形状となっている。また、図４Ｃのように４つのマスキングテープ陳列具１０を連結する場合は、平面視で略正方形となるだけでなく、最も高くなる集合体の中央部から外周部分に向けて下り傾斜する形状となるため、全体としてまとまりのよい集合体となる。このため、マスキングテープ１００の組み合わせによる鑑賞効果及び装飾効果に加えて当該形状（４個掛止した形状）に基づく鑑賞効果及び装飾効果を発揮する。
【００５３】
また、図４Ｄに示すように、掛止手段２０同士を掛止させてマスキングテープ陳列具１０を連続的に連結することもできる。この場合、任意の数量のマスキングテープ陳列具１０を掛止させることで、鑑賞効果及び装飾効果によりバリエーションを与えることができる。
【００５４】
〔第４実施形態の効果〕
第４実施形態にかかるマスキングテープ陳列具１０は、本体１１と、本体１１に設けられ、マスキングテープ１００を該本体の外部から観賞可能に保持する保持体３０と、を備える。より具体的には、本体１１は一の面に開放部を有する箱体として構成され、保持体３０は箱体としての本体１１の内部空間により構成される。マスキングテープ陳列具１０は、複数の本体１１（箱体）同士又は所定の掛止対象物に掛止可能なように本体１１（箱体）に設けられる掛止手段２０を備える。このように、マスキングテープ１００を保持する保持体３０は箱体としての本体１１の内部空間により構成されるため、保持体３０に保持されたマスキングテープ１００の各々の色彩、模様、柄、質感を本体１１の外部から鑑賞させることができる。これにより、装飾効果及び観賞効果をより好適に発揮させることが可能となる。また、マスキングテープ陳列具１０は、掛止手段２０により本来の用途で用いられる対象物の近く、例えば、壁、家具（机）、事務用機器、冷蔵庫等に掛止することができる。また、マスキングテープ陳列具１０を平面台から浮かせて配置することができ、設置のための平面スペースを使用せずに空間を有効に活用できる。
【００５５】
また、第４実施形態にかかるマスキングテープ陳列具１０は、掛止手段２０によって複数の陳列具同士を連結することができる。このように複数のマスキングテープ陳列具１０を連結させることで、鑑賞効果及び装飾効果によりバリエーションを与えることができ、鑑賞効果及び装飾効果を高めることが可能となる。
【００５６】
上述した第１実施形態から第４実施形態にかかるマスキングテープ陳列具１０は、複数のマスキングテープ１００を収容することができるため、異なるマスキングテープ１００の色彩、模様、柄、質感を組み合わせて装飾効果や観賞効果を発揮する。特に、マスキングテープ１００の表面を看者に向けられるように、マスキングテープ１００を立てて収容するため、装飾効果や観賞効果を高めることができる。
【００５７】
なお、本考案において、各実施形態のマスキングテープ陳列具１０は、構成する部材の大半に紙、厚紙、木製の板、布地を使用することで、環境性の観点からも好適に構成することができる。
【００５８】
以上、本考案の実施形態について説明したが、上述の実施形態は本考案の適用例の一部を示したに過ぎず、本考案の技術的範囲を上述の実施形態の具体的構成に限定する趣旨ではない。
【符号の説明】
【００５９】
１０    マスキングテープ陳列具
１１    本体
１２    支持部
１５    傾斜部
１６    切欠き
１７    開閉蓋
２０    掛止手段
３０    保持体
３１    円筒状容器
３２    キャップ
３３    仕切り部材
３４    収容部
３５    基台
３６    棒体
１００    マスキングテープ
【図１Ａ】
0003223032.tif 000003
【図１Ｂ】
0003223032.tif 000004
【図１Ｃ】
0003223032.tif 000005
【図２Ａ】
0003223032.tif 000006
【図２Ｂ】
0003223032.tif 000007
【図３Ａ】
0003223032.tif 000008
【図３Ｂ】
0003223032.tif 000009
【図４Ａ】
0003223032.tif 000010
【図４Ｂ】
0003223032.tif 000011
【図４Ｃ】
0003223032.tif 000012
【図４Ｄ】
0003223032.tif 000013